(57)【要約】【課題】                     セーフティーキャップ装置としては、外キャップと内キャップの間に逆止回転機構を設けて、開栓時には外キャップが空転し、掛止爪を強く押圧して連動する時にのみ内キャップを開栓する装置が賞用されて来たが、開栓時に外キャップを強く押圧して回す必要があり、閉栓操作が面倒で煩雑であるという課題があった。【解決手段】                容器首部１に螺着して閉栓する内キャップ１０と、内キャップの外周を回転自在に被覆する外キャップ２０との間に、外キャップを閉栓方向Ａに回転するとき内キャップを閉栓可能とし、開栓方向Ｂに回転するとき空回りする逆止回転機構を設け、外キャップ２０のスカート部２２に押圧に伴って内方に突出する掛止突出部２３を設けると共に、内キャップ１０の外周に前記掛止突出部に係合する係合部１５を設けてなるセーフティーキャップ装置。【選択図】                  図１
2006103715.tif 000002
【特許請求の範囲】
【請求項１】
容器首部に螺着して閉栓する内キャップと、内キャップの外周を回転自在に被覆する外キャップとの間に、外キャップを閉栓方向に回転するとき掛止して内キャップを閉栓可能とし、開栓方向に回転するとき掛止することなく空回りする逆止回転機構を設けてなるセーフティーキャップ装置において、前記外キャップのスカート部に押圧に伴って内方に突出する掛止突出部を設けると共に、内キャップの外周に前記掛止突出部の突出に伴って係合する係合部を設けてなるセーフティーキャップ装置。
【請求項２】
請求項１に記載のセーフティーキャップ装置において、前記内キャップの外周に外周壁を凹陥させて係合部を設けると共に、外キャップの内周に周囲の内壁を凹陥させて掛止突出部を設けてなるセーフティーキャップ装置。
【請求項３】
請求項１又は２に記載のセーフティーキャップ装置において、掛止突出部をほぼ１８０度の間隔に相対して設けると共に、掛止突出部と掛止突出部の中間の外キャップのスカート部に湾曲補助部を設けてなるセーフティーキャップ装置。
【請求項４】
請求項１、２又は３に記載のセーフティーキャップ装置において、逆止回転機構が、内キャップの外周に弾性変形可能に突出する棒状部材の先端部に逆止歯片を有すると共に、外キャップの内周に棒状部材の先端部方向から逆止歯片に当接して内キャップが一体に回転して閉栓する閉栓片を設け、外キャップを開栓方向に回転するときには前記閉栓片が棒状部材の基端部側から逆止歯片を弾性変形させながら乗り越えて空転するように設けてなるセーフティーキャップ装置。
【発明の詳細な説明】
【技術分野】
【０００１】
本発明は、開栓する方法を知っている人のみ開栓することが可能なセーフティーキャップ装置に関する。
【背景技術】
【０００２】
従来から、医薬品や農薬等を入れる容器のキャップは、乳幼児等が容器のキャップを開栓して誤って内容物を飲む等の事故を防止するために、開栓する方法を知っている人のみ開栓することが可能なセーフティーキャップ装置が使用されている。
【０００３】
従来、セーフティーキャップ装置としては、容器首部に螺着して閉栓する内キャップに、外周を被覆するように外キャップを設けると共に、外キャップと内キャップの間に逆止回転機構を設けて、通常の状態で開栓しようとする時には外キャップと内キャップの回転を伝達する歯の噛み合わせを外して空転するようにし、逆止回転機構の掛止爪を強く押圧して連動することによりキャップを開栓するセーフティーキャップ装置が賞用されて来た（特許文献１）。
【特許文献１】特開２００１−２９３９６７
【発明の開示】
【発明が解決しようとする課題】
【０００４】
しかし、従来装置では、開栓時に外キャップを強く押圧して回す必要があり、開栓操作が面倒で煩雑であるという課題があった。
【課題を解決するための手段】
【０００５】
そこで、本発明は、請求項１に記載の如く、容器首部に螺着して閉栓する内キャップと、内キャップの外周を回転自在に被覆する外キャップとの間に、外キャップを閉栓方向に回転するとき掛止して内キャップを閉栓可能とし、開栓方向に回転するとき掛止することなく空回りする逆止回転機構を設けてなるセーフティーキャップ装置において、前記外キャップのスカート部に押圧に伴って内方に突出する掛止突出部を設けると共に、内キャップの外周に前記掛止突出部の突出に伴って係合する係合部を設けてなるセーフティーキャップ装置を提供するものである。
【０００６】
また、本発明は、請求項２に記載の如く、請求項１に記載のセーフティーキャップ装置において、前記内キャップの外周に外周壁を凹陥させて係合部を設けると共に、外キャップの内周に周囲の内壁を凹陥させて掛止突出部を設けてなるセーフティーキャップ装置を提供するものである。
【０００７】
また、本発明は、請求項３に記載の如く、請求項１又は２に記載のセーフティーキャップ装置において、掛止突出部を１８０度の間隔に相対して設けると共に、掛止突出部と掛止突出部の中間の外キャップのスカート部に湾曲補助部を設けてなるセーフティーキャップ装置を提供するものである。
【０００８】
また、本発明は、請求項４に記載の如く、請求項１、２又は３に記載のセーフティーキャップ装置において、逆止回転機構が、内キャップの外周に弾性変形可能に突出する棒状部材の先端部に逆止歯片を有すると共に、外キャップの内周に棒状部材の先端部方向から逆止歯片に当接して内キャップが一体に回転して閉栓する閉栓片を設け、外キャップを開栓方向に回転するときには前記閉栓片が棒状部材の基端部側から逆止歯片を弾性変形させながら乗り越えて空転するように設けてなるセーフティーキャップ装置を提供するものである。
【発明の効果】
【０００９】
本発明に係るセーフティーキャップ装置によれば、請求項１に記載の如く、容器首部に螺着して閉栓する内キャップと、内キャップの外周を回転自在に被覆する外キャップとの間に、外キャップを閉栓方向に回転するとき掛止して内キャップを閉栓可能とし、開栓方向に回転するとき掛止することなく空回りする逆止回転機構を設けてなる構成を有するから、閉栓を確実の行えると共に、通常の開栓操作では空回りして開けることができない一方、上記セーフティーキャップ装置において、前記外キャップのスカート部に押圧に伴って内方に突出する掛止突出部を設けると共に、内キャップの外周に前記掛止突出部の突出に伴って係合する係合部を設けてなる構成を有することにより、開け方を知ってる者が外キャップのスカート部を押圧して開栓方向に回転すると、押圧に伴って突出した外キャップの掛止突出部が、内キャップの係合部に係合してキャップを開栓方向に回転することができる効果がある。
【００１０】
また、本発明は、請求項２に記載の如く、請求項１に記載のセーフティーキャップ装置において、前記内キャップの外周に外周壁を凹陥させて係合部を設けると共に、外キャップの内周に周囲の内壁を凹陥させて掛止突出部を設けてなる構成を有するから、通常には内キャップの係合部は内キャップの外周壁から突出しない状態にあり、外キャップの掛止突出部も外キャップの内壁から突出せず、両者は当接せずの空転する状態であるが、外キャップの掛止突出部を外側から押圧する場合には、掛止突出部の周囲の内壁が凹陥させてあるから比較的弱い力で容易に押圧して開栓できる効果がある。
【００１１】
また、本発明は、請求項３に記載の如く、請求項１又は２に記載のセーフティーキャップ装置において、掛止突出部を１８０度の間隔に相対して設けると共に、掛止突出部と掛止突出部の中間の外キャップのスカート部に湾曲補助部を設けてなる構成を有するから、外キャップの掛止突出部を持つことによって、その中間の湾曲補助部が撓んで掛止突出片を外側から容易に押圧することができる効果がある。
【００１２】
また、本発明は、請求項４に記載の如く、請求項１、２又は３に記載のセーフティーキャップ装置において、逆止回転機構が、内キャップの外周に弾性変形可能に突出する棒状部材の先端部に逆止歯片を有すると共に、外キャップの内周に棒状部材の先端部方向から逆止歯片に当接して内キャップが一体に回転して閉栓する閉栓片を設け、外キャップを開栓方向に回転するときには前記閉栓片が棒状部材の基端部側から逆止歯片を弾性変形させながら乗り越えて空転するように設けてなる構成を有するから、閉栓時には閉栓片が棒状部材の先端部方向から逆止歯片に当接して、棒状部材が支え棒のように当接して内キャップが確実に回転して閉栓する一方、開栓方向に空転するときには逆止歯片が滑らかに弾性変形して、円滑に空転する効果がある。
【発明を実施するための最良の形態】
【００１３】
本発明の実施の最良の形態を図示する実施例に基づいて説明する。
図１に示すセーフティーキャップ装置は、容器首部１の雄ねじ部２に螺着して閉栓する内キャップ１０と、内キャップ外周を回転自在に被覆するように設けた外キャップ２０とからなり、内キャップ１０と外キャップ２０との間には外キャップ２０を閉栓方向Ａに回転するとき掛止して内キャップ１０を閉栓可能とし、開栓方向Ｂに回転するとき掛止することなく空回りする逆止回転機構ａを設けてある。
【００１４】
実施例の場合、逆止回転機構ａは、内キャップ１０と外キャップ２０との天板部に近い位置、即ち、キャップスカート部から上方の変形を受け難い位置に設けてある。逆止回転機構ａは、内キャップ１０の上縁部に外周に弾性変形可能に突出する棒状部材１１の先端部に逆止歯片１２を設けると共に、外キャップ２０の内周には、閉栓方向Ａに回転するとき前記棒状部材１１の先端部方向から逆止歯片１２に当接して内キャップ１０が一体に回転して閉栓する閉栓片２１を突出して設け、閉栓時には閉栓片２１が棒状部材１１の先端部方向から逆止歯片１２に当接し、棒状部材１１が支え棒のように強く閉栓片２１と当接して内キャップ１０が確実に回転して閉栓することができる一方、外キャップ２０を開栓方向Ｂに回転するときには前記閉栓片２１が棒状部材１１の基端部１３側から逆止歯片１２を弾性変形させながら軽快に乗り越えて空転するように設けてある。
【００１５】
即ち、図２に記載のように、棒状部材１１の基端部１３は内キャップ１０の外周壁１７とほぼ同一面又はやや突出面をなし、先端部の逆止歯片１２は内キャップ１０の外周壁１７から外方に突出して、閉栓時には閉栓片２１が逆止歯片１２に確実に当接するように構成してあると共に、棒状部材１１の内側には凹溝１４が設けてあり、外キャップ２０を開栓方向に回転するときに前記閉栓片２１が棒状部材１１を基端部１３側から逆止歯片１２を内側の凹溝１４内に弾性変形させながら乗り越えて円滑に空転するように構成してある。
【００１６】
なお、図２の実施例のように、棒状部材１１の基端部１３を内キャップ１０の外周壁１７からやや突出面をなすように設けることによって、内キャップ１０の外周壁１７と閉栓片２１との間に円滑に回転するように隙間を設けることができ、且つ、隙間を設けても外キャップ２０を開栓方向Ｂに回転するときに前記閉栓片２１が棒状部材１１を基端部１３側に確実に当接して逆止歯片１２を内側の凹溝１４内に弾性変形させながら円滑に乗り越えて空転するように構成してある。
また、実施例の場合、逆止歯片１２と閉栓片２１は９０度間隔で４個所に設けてあるが、６０度間隔で６個所又は１２０度間隔で３個所等のように、必要に応じて適宜に配設することができることは勿論である。
【００１７】
他方、上記セーフティーキャップ装置において、前記外キャップ２０のやや薄く成形したスカート部２２には、外側からの押圧に伴って内方に突出する掛止突出部２３を設けると共に、内キャップ１０の外周には、外キャップ２０の開栓方向Ｂへの回転時に前記掛止突出部２３の突出に伴って係合する係合部１５を設けてなる、前記逆止回転機構ａとは逆の逆止回転機構ｂを設けてある。２６は、スカート部２２の内側に設けた掛止突出部２３に対応するスカート部２２の外側及びその近傍に位置する押圧部であるが、外観上特別に目印になるような特徴を設けないことが好ましい。
【００１８】
この逆止回転機構ｂは、開ける方法を知ってる者が外キャップ２０のスカート部２２の押圧部２６を押圧して開栓方向Ｂに回転するときにのみ、押圧に伴って突出した外キャップ２０の掛止突出部２３が、内キャップ１０の係合部１５に係合して内外キャップ１０，２０を一体に開栓方向Ｂに回転することができる。
また、係合部１５は外キャップ２０を閉栓方向Ａに回転する際には、掛止突出部２３が係合部１５に係合することなく滑って空回りするように構成してある。
【００１９】
実施例の場合、前記内キャップ１０の外周に外周壁１７をカットエッジ状に凹陥させてカットエッジ部を係合部１５として凹陥部１６に対して突出して設けると共に、外キャップ２０の内周には周囲の内周壁２５を凹陥させて凹陥部２４に対して掛止突出部２３を突出する形に設けてあり、外キャップ２０のスカート部２２の押圧部２６を押圧して開栓方向Ｂに回転するとき、押圧に伴って突出した外キャップ２０の掛止突出部２３が、内キャップ１０の係合部１５に凹陥部１６側から回転して係合し、内外キャップ１０，２０を一体に開栓方向Ｂに回転することができるように構成してあり、逆に外キャップ２０を閉栓方向Ａに回転する際には掛止突出部２３が係合部１５に係合することなく凹陥部１６に滑って入りそのまま内キャップ１０の外周壁１７に沿って空回りするように構成してある。
【００２０】
図３において、２４が掛止突出部２３を覆う凹陥部であり、その部分に対応する押圧部２６を押圧しない限り、掛止突出部２３が外キャップ２０の内周壁２５から突出しないから、幼児などの開け方を知らない者には開放は困難になる。
また、通常には、内キャップ１０の係合部１５は内キャップの外周壁１７から突出しない状態にあり、外キャップ２０の掛止突出部２３も外キャップの内周壁２５から突出せず、両者は当接せずの空転する状態にある。
そして、図３に記載のように、外キャップ２０の掛止突出部２３を外側から押圧する場合には、掛止突出部２３の周囲の内壁が凹陥させて軟弱に構成してあるから、比較的弱い力で容易に押圧することできる。
【００２１】
また、本発明は、請求項３に記載の如く、掛止突出部２３を１８０度の間隔に相対して設けると共に、掛止突出部２３と掛止突出部２３の中間の外キャップ２０のスカート部２２に湾曲補助部２７を設けてある。実施例の場合、湾曲補助部２７は外キャップ２０の内周壁２５を薄くした薄肉部２８を形成して、スカート部２２の壁厚を薄くして湾曲しやすく構成してある。そして、外キャップのスカート部２２の押圧部２６を掴むことによって、その中間の湾曲補助部２７が外側に撓んで掛止突出片２３を外側から容易に押し込むことができるように構成してある。
【００２２】
また、図３に記載のように、係合部１５の数は９０度間隔で４個に設けてあるのに対し、掛止突出部２３は１８０度間隔で２個所に設けてあり、掛止突出部２３を両側から押圧して２個所の係合部１５に同時に確実に係合するように構成してあるが、安全性を高めるには、係合部１５の数を減らしたり、掛止突出部２３を１個所に設けたりすることも勿論可能である。
【００２３】
その他、内キャップ１０と外キャップ２０とは、嵌合時に内キャップ１０の外周壁に突設した係合鍔部１８と、外キャップ２０の内周壁に突設した掛止鍔片部２９とが抜けないように係合すると共に、外キャップ２０のスカート部２２の下端縁部が内キャップ１０の下端縁部に突設したフランジ部１９上に当接して密着するから、一体のキャップとなり、内キャップ１０内に設けた雌ねじ部３が容器首部１の雌ねじ部２に螺号するように構成してある。
【図面の簡単な説明】
【００２４】
【図１】本発明装置の一実施例を示す概略分解斜視図。
【図２】その要部を横断して示す概略横断面図。
【図３】その他の要部を横断して示す概略横断面図。
【符号の説明】
【００２５】
１      容器首部
２      雄ねじ部
１０    内キャップ
１１    棒状部材
１２    逆止歯片
１３    基端部
１４    凹溝
１５    係合部
１６    凹陥部
１７    外周壁
１８    係合鍔部
１９    フランジ部
２０    外キャップ
２１    閉栓片
２２    スカート部
２３    掛止突出部
２４    凹陥部
２５    内周壁
２６    押圧部
２７    湾曲補助部
２８    薄肉部
２９    掛止鍔片部
【図１】
2006103715.tif 000003
【図２】
2006103715.tif 000004
【図３】
2006103715.tif 000005